(57)【要約】【課題】ユーザーが閲覧を希望する電子メールについてのみ、その本文が自動的に開いて表示部に表示されるようにすることができる電子メール送受信端末装置を提供する。【解決手段】電子メールまたはメールヘッダーが通信ネットワーク６上のメールサーバー８から自動送信される電子メール送受信端末装置２０であって、表示部１３と、特定のメールアドレスを記憶する記憶部１２と、該記憶部１２に記憶された特定のメールアドレスを有する発信元からの電子メールを受信したとき、電子メールの本文を自動的に開いて表示部１３に表示するように制御する制御部１０とを有するようにした。【効果】記憶した発信元から受信した電子メールは、自動的にその本文を表示させて閲覧することができるので、その操作性、速報性を向上させることができる。【選択図】      図１
2004235823.tif 000002
【特許請求の範囲】
【請求項１】
電子メールまたはメールヘッダーが通信ネットワーク上のメールサーバーから自動送信される電子メール送受信端末装置であって、表示部と、特定のメールアドレスを記憶する記憶部と、該記憶部に記憶された前記特定のメールアドレスを有する発信元からの電子メールを受信したとき、前記電子メールの本文を自動的に開いて前記表示部に表示するように制御する制御部とを有することを特徴とする電子メール送受信端末装置。
【請求項２】
電子メールまたはメールヘッダーが通信ネットワーク上のメールサーバーから自動送信される電子メール送受信端末装置であって、表示部と、特定のキーワードを記憶する記憶部と、該記憶部に記憶された前記特定のキーワードを有する発信元からの電子メールを受信したとき、前記電子メールの本文を自動的に開いて前記表示部に表示するように制御する制御部とを有することを特徴とする電子メール送受信端末装置。
【発明の詳細な説明】
【０００１】
【発明の属する技術分野】
本発明は、携帯電話機等のように、電子メールまたはメールヘッダーが、通信ネットワーク上のメールサーバーから自動送信される電子メール送受信端末装置に関するものである。
【０００２】
【従来の技術】
近年においては、インターネット等の通信ネットワークにおいて、電子メールが普及している。電子メールは、通信ネットワークに接続されたパソコン等の電子メール送受信端末装置により、自宅やオフィス等で送受信することができる。また、携帯電話機等のような電子メール送受信端末装置を利用すれば、屋外でも電子メールを送受信することができる。
【０００３】
図５に示すように、発信側の電子メール送受信端末装置２から、受信側の電子メール送受信端末装置４宛に送信された電子メールは、通信ネットワーク６を介して、受信側の電子メール送受信端末装置４を管理するメールサーバー８に一時保管されるようになっている。
【０００４】
受信側の電子メール送受信端末装置４がパソコンである場合には、受信側のユーザー宛に届いた電子メールは、通信ネットワーク６上のメールサーバー８に蓄積されるが、このユーザーには何も知らされないので、このユーザーは自分宛のメールが届いたかどうかについて、能動的にメールをチェックする必要がある。
【０００５】
すなわち、電子メール送受信端末装置４（パソコン）の電子メールソフトを起動させることによって、通信ネットワーク６上のメールサーバー８との通信接続を確立し、メールサーバー８に自分宛の電子メールが保管されていないかを調べさせ、まだ閲覧していない電子メールがある場合には、これをユーザーの電子メール送受信端末装置４に送信させるようになっている。
【０００６】
一方、受信側の電子メール送受信端末装置４が携帯電話機等である場合には、受信側のユーザー宛の電子メールが、通信ネットワーク６上のメールサーバー８に着信すると、この電子メールは自動的に受信側の電子メール送受信端末装置４に送信される。また、携帯電話機等の電子メール送受信端末装置４は、この電子メールを受信したときには、受信した旨を表示部に表示したりアラーム音を鳴らしたりして、ユーザーに通知するようになっている。
【０００７】
そして、このような携帯電話機等の電子メール送受信端末装置４は、ユーザー自身が読みたいものと読みたくないものを選別することができるように、受信した電子メールの発信元や件名を表示部に表示して、ユーザーがこれを確認してから、その本文を開いて表示するようになっている。
【０００８】
また、受信側の電子メール送受信端末装置４が携帯電話機等である場合における、別の受信の形態として、受信側のユーザー宛の電子メールが通信ネットワーク６上のメールサーバー８に着信したときに、その電子メールのメールヘッダーのみが、電子メール送受信端末装置４に送信されるようになっているものがある。ここで、メールヘッダーとは、電子メールの先頭部分に記述されている情報であって、発信元のメールアドレスや件名の情報を含む部分である。
【０００９】
このような受信の形態の場合には、この電子メール送受信端末装置４は、メールヘッダーを受信したときに、受信した旨を表示部に表示したりアラーム音を鳴らしたりして、ユーザーに通知するようになっている。
【００１０】
そして、ユーザーが、メールヘッダーから発信元や件名を確認し、読みたいものであると判断した後、メールサーバー８に対して受信要求したときにのみ、その電子メールの本文を受信するようになっている。
【００１１】
このように、受信側の電子メール送受信端末装置４が携帯電話機等である場合には、パソコンのように定期的に電子メールソフトを起動してメールサーバーをチェックしなくとも、自分宛の電子メールを直ぐに受信して、一定の操作を行なうことにより閲覧することができる。
【００１２】
そのため、ニュース、天気予報、又は株価情報等を、電子メールで登録者に一定時間ごとに自動配信するようなサービスを受けるような場合や、特定の種類の情報を定期的に電子メールで受信することになっているような場合には、このような情報を直ぐに入手することができるので便利である。
【００１３】
【発明が解決しようとする課題】
しかしながら、このようなニュース、天気予報及び株価情報等の電子メール情報や、その他の定期的に受信する電子メール情報は、ユーザーの意思に基づいて受信するものであり、また、ユーザーはその情報を直ぐに閲覧することができるように望んでいるにもかかわらず、その他の一般の電子メールを受信したときと同様に、一定のキー操作等を行なって電子メールの発信元や件名を表示部に表示し、これを確認してからでなければ、その本文を開いて表示することができないため、その操作や確認が煩わしいという問題点があった。
【００１４】
また、このような操作や確認が煩わしいことを解消するために、受信した全ての電子メールについてその本文を受信と同時に自動的に開いて表示部に表示させるようにすると、例えばユーザーの不在時に電子メールを受信した場合にも、電子メールの本文が表示部に表示されてしまい、個人のプライバシー等を保護することができなくなるという問題点が生じる。
【００１５】
そこで、本発明は、ユーザーが閲覧を希望する電子メールについてのみ、その本文が自動的に開いて表示部に表示されるようにすることができる電子メール送受信端末装置を提供することを課題とするものである。
【００１６】
【課題を解決するための手段】
上記課題を解決するために、
第１の発明は、電子メールまたはメールヘッダーが通信ネットワーク上のメールサーバーから自動送信される電子メール送受信端末装置であって、表示部と、特定のメールアドレスを記憶する記憶部と、該記憶部に記憶された前記特定のメールアドレスを有する発信元からの電子メールを受信したとき、前記電子メールの本文を自動的に開いて前記表示部に表示するように制御する制御部とを有することを特徴とする。
また、第２の発明は、電子メールまたはメールヘッダーが通信ネットワーク上のメールサーバーから自動送信される電子メール送受信端末装置であって、表示部と、特定のキーワードを記憶する記憶部と、該記憶部に記憶された前記特定のキーワードを有する発信元からの電子メールを受信したとき、前記電子メールの本文を自動的に開いて前記表示部に表示するように制御する制御部とを有することを特徴とする。
【００１７】
このような電子メール送受信端末装置によれば、閲覧を希望する電子メールの発信元のメールアドレス又はキーワードを記憶部に記憶することにより、その発信元から受信した電子メールは、一定のキー操作及び電子メールの発信元や件名の確認をしなくとも、直ちにその本文を表示させて閲覧することができるので、一定のキー操作や確認を省略することができてその操作性、速報性を向上させることができる。
【００１８】
また、記憶部に記憶されていない発信元から受信した電子メールは、受信通知のみされて記憶部に格納されるので、従来の電子メール送受信端末装置と同様に、一定のキー操作や確認を行なうことによりこの電子メールを閲覧することができ、プライバシー等の保護を確保することができる。
【００１９】
【発明の実施の形態】
以下、本発明に係る電子メール送受信端末装置の実施の形態について、図面に基づいて具体的に説明する。
【００２０】
図１ないし図３は、本発明の第１の実施の形態に係る携帯電話機２０について説明するために参照する図である。
【００２１】
図１に示された、本発明の第１の実施の形態に係る携帯電話機２０（電子メール送受信端末装置に相当）は、通信ネットワーク６上のメールサーバー８から、電子メールのメールヘッダーと本文が同時に送信されるようになっているものである。
【００２２】
図１は、携帯電話機２０の回路の一部を示すブロック図である。主制御部１０（制御部）は、システム用メモリ１１、ユーザー領域メモリ１２（記憶部）、ＬＣＤ（液晶ディスプレイ）等の表示部１３、各種のキー等で構成される操作部１４、アンテナが接続されて無線通信をすることのできる通信部１５等を制御するようになっている。
【００２３】
システム用メモリ１１には、携帯電話機２０が有する様々な機能を動作させるためのソフトウェアが記憶されている。ユーザー領域メモリ１２は、そのメモリの領域がいくつかに分割されており、その一部に表示アドレス設定テーブル１２ａや、メールボックス１２ｂ等が割り当てられている。
【００２４】
そして、表示アドレス設定テーブル１２ａの領域には、図２に示すように、受信後直ちに閲覧したい電子メールの発信元のメールアドレスを、一発表示設定アドレスとして記憶させることができるようになっている。また、メールボックス１２ｂの領域には、受信した電子メールのメールヘッダー及び本文を記憶させることができるようになっている。
【００２５】
次に、図３のフローチャートに基づいて、携帯電話機２０の動作について説明する。通信部１５が、通信ネットワーク６上のメールサーバー８から、電子メールを受信したときには（ステップＳ１）、その旨の信号が主制御部１０に出力される。このことにより主制御部１０は、表示部１３に電子メールの受信通知を表示させるように制御する（ステップＳ２）。
【００２６】
また、主制御部１０は、受信した電子メールのメールヘッダーから発信元のメールアドレスを読出し（ステップＳ３）、これと同一のメールアドレスが一発表示設定アドレスとして、図２に示す表示アドレス設定テーブル１２ａに記憶されているかどうかを判断する（ステップＳ４）。
【００２７】
そして、発信元のメールアドレスと同一のメールアドレスが、表示アドレス設定テーブル１２ａにあった場合には（ステップＳ４のＹＥＳ）、自動的にその電子メールの本文を開いて表示部１３に表示すると共に（ステップ５）、メールボックス１２ｂにその電子メールのメールヘッダー及び本文を格納する（ステップ６）。
【００２８】
また、受信した電子メールの発信元のメールアドレスと同一のメールアドレスが、表示アドレス設定テーブル１２ａに無かった場合には（ステップＳ４のＮＯ）、その電子メールの本文を表示部１３に表示させないで、メールヘッダー及び本文をメールボックス１２ｂに格納する動作だけをおこなう。（ステップ６）。
【００２９】
このような携帯電話機２０によれば、表示アドレス設定テーブル１２ａに記憶されている発信元から受信した電子メールの内容を、自動的に表示して閲覧することができるので、一定のキー操作や確認を省略することができてその操作性、速報性を向上させることができる。
【００３０】
したがって、ニュース、天気予報、又は株価情報等を、一定時間ごとに自動配信するようなサービスを受けるような場合や、特定の種類の情報を定期的に電子メールで受信することになっているような場合には、特に便利である。
【００３１】
また、表示アドレス設定テーブル１２ａに記憶されていない発信元から受信した電子メールは、受信通知のみされてメールボックス１２ｂに格納されるだけなので、従来の携帯電話機と同様に、一定のキー操作や確認を行なうことによりこの電子メールの内容を閲覧することができ、プライバシー等の保護を確保することができる。
【００３２】
次に、本発明の第２の実施の形態に係る携帯電話機３０について説明する。図１に示すように、本実施の形態に係る携帯電話機３０の構成は、第１の実施の形態に係る携帯電話機２０と全く同じである。
【００３３】
ただし、本実施の形態に係る携帯電話機３０は、この携帯電話機３０宛の電子メールが通信ネットワーク６上のメールサーバー８に着信したときに、その電子メールのメールヘッダーのみが送信されるようになっている。
【００３４】
この携帯電話機３０の動作を、図４のフローチャートに基づいて説明する。通信部１５が、通信ネットワーク６上のメールサーバー８から、電子メールのメールヘッダーを受信したときには（ステップＳ１）、その旨の信号が主制御部１０に出力される。このことにより主制御部１０は、表示部１３に電子メールの受信通知を表示させるように制御する（ステップＳ２）。
【００３５】
また、主制御部１０は、受信した電子メールのメールヘッダーから発信元のメールアドレスを読出し（ステップＳ３）、これと同一のメールアドレスが一発表示設定アドレスとして、図２に示す表示アドレス設定テーブル１２ａに記憶されているかどうかを判断する（ステップＳ４）。
【００３６】
そして、発信元のメールアドレスと同一のメールアドレスが、表示アドレス設定テーブル１２ａにあった場合には（ステップＳ４のＹＥＳ）、主制御部１０は自動的に、この電子メールの本文の受信要求をメールサーバー８に対して送信するように、通信部１５を制御する（ステップ５）。
【００３７】
そして、通信部１５がメールサーバー８から電子メールの本文を受信した後（ステップ６）、直ちにその電子メールの本文を開いて表示部１３に表示させると共に（ステップ７）、メールボックス１２ｂにその電子メールのメールヘッダー及び本文を格納する（ステップ８）。
【００３８】
また、受信した電子メールの発信元のメールアドレスと同一のメールアドレスが、表示アドレス設定テーブル１２ａに無かった場合には（ステップＳ４のＮＯ）、メールサーバー８に対してその電子メールの本文の受信要求はせず、メールボックス１２ｂにその電子メールのメールヘッダーのみを格納する動作だけを行う（ステップ８）。
【００３９】
このような携帯電話機３０によっても、前記第１の実施の形態に係る携帯電話機２０と同様に、表示アドレス設定テーブル１２ａに記憶されている発信元から受信した電子メールの本文を、自動的に表示部１３に表示して閲覧することができるので、一定のキー操作や確認を省略することができてその操作性、速報性を向上させることができる。
【００４０】
また、表示アドレス設定テーブル１２ａに記憶されていない発信元からの電子メールについて、そのメールヘッダーを受信した場合には、受信通知を表示してメールボックス１２ｂに格納する動作だけが行われる。したがって、従来の携帯電話と同様に、一定のキー操作や確認を行なうことにより、この電子メールの本文を受信した後、これを表示して閲覧することができるので、プライバシー等の保護を確保することができる。
【００４１】
なお、前記第１及び第２の実施の形態においては、ユーザー領域メモリ１２内に表示アドレス設定テーブル１２ａを設けて、これに発信元のメールアドレスを記憶させるようにしたが、この表示アドレス設定テーブル１２ａに代えて、キーワード設定テーブルを設け、これに特定のキーワードを記憶させるようにし、受信した電子メールのメールヘッダー又は本文にそのキーワードが含まれている場合には、自動的にこれを表示させて閲覧することができるようにしてもよい。
【００４２】
また、前記第１及び第２の実施の形態においては携帯電話機について説明したが、本発明は、送受信機を備えたＰＤＡ（携帯情報端末）等の他の種類の電子メール送受信端末装置にも、同様に適用することができる。
【００４３】
【発明の効果】
以上説明したのように、本発明の電子メール送受信端末装置によれば、記憶部に記憶させたメールアドレスの発信元から受信した電子メール、または、記憶部に記憶させた特定のキーワードを含む電子メールの本文を、自動的に表示して閲覧することができるので、一定のキー操作や確認を省略することができてその操作性、速報性を向上させることができる。
【００４４】
したがって、ニュース、天気予報、又は株価情報等を自動配信するようなサービスを受けるような場合や、特定の種類の情報を定期的に電子メールで受信することになっているような場合には、特に便利である。
【００４５】
また、記憶部に記憶されていない発信元から受信した電子メール、または、記憶部に記憶させた特定のキーワードを含まない電子メールは、受信通知のみされてメールボックスに格納されるだけなので、従来の電子メール送受信端末装置と同様に、一定のキー操作や確認を行なうことによりこの電子メールの本文を閲覧することができ、プライバシー等の保護を確保することができる。
【図面の簡単な説明】
【図１】本発明の第１及び第２の実施の形態に係る携帯電話機２０，３０の回路を示すブロック図ある。
【図２】図１における表示アドレス設定テーブル１２ａの具体例を示す図である。
【図３】本発明の第１の実施の形態に係る携帯電話機２０の動作を示すフローチャート図である。
【図４】本発明の第２の実施の形態に係る携帯電話機３０の動作を示すフローチャート図である。
【図５】通信ネットワーク６の概念図である。
【符号の説明】
２，４  電子メール送受信端末装置
６  通信ネットワーク
８  メールサーバー
１０  主制御部（制御部）
１１  システム用メモリ
１２  ユーザー領域メモリ（記憶部）
１２ａ  表示アドレス設定テーブル
１２ｂ  メールボックス
１３  表示部
１４  操作部
１５  通信部
２０，３０  携帯電話機
【図１】
2004235823.tif 000003
【図２】
2004235823.tif 000004
【図３】
2004235823.tif 000005
【図４】
2004235823.tif 000006
【図５】
2004235823.tif 000007